(57)【要約】【課題】放送休止時にアラーム信号をマスクする。【解決手段】第１系統の放送波信号の異常を表すアラーム信号と、第２系統の放送波信号の異常を表すアラーム信号が論理回路１１に入力すると、論理回路１１はアラームマスク信号をマスクユニット１２およびマスクユニット１３に出力する。論理回路１１からマスクユニット１２にアラームマスク信号が入力したら、マスクユニット１２は、Ｉｎ３からＯｕｔ３へ送られる第１のアラーム信号をマスクする。また、論理回路１１からマスクユニット１２にアラームマスク信号が入力したら、マスクユニット１３は、Ｉｎ４からＯｕｔ４へ送られるアラーム信号をマスクする。【選択図】      図１
2011023954.tif 000002
【特許請求の範囲】
【請求項１】
第１系統の放送波信号のレベル異常を表す第１のアラーム信号と、第２系統の放送波信号のレベル異常を表す第２のアラーム信号とが入力すると、アラームマスク信号を出力する論理回路と、
前記論理回路からアラームマスク信号が入力されたら、前記第１のアラーム信号をマスクする第１のマスク手段と、
前記論理回路からアラームマスク信号が入力されたら、前記第２のアラーム信号をマスクする第２のマスク手段と、
を具備するアラームマスク回路。
【請求項２】
前記論理回路に前記第１及び第２のアラーム信号のうちの一方が入力された後、所定時間内に他方のアラーム信号が入力される場合に、前記論理回路は前記アラームマスク信号を出力する、請求項１に記載のアラームマスク回路。
【請求項３】
前記論理回路に前記第１及び第２のアラーム信号のうちの一方が入力されなくなった後、所定時間後に他方のアラーム信号も入力されなくなったら、前記論理回路は前記アラームマスク信号の出力を停止する、請求項１に記載のアラームマスク回路。
【請求項４】
前記放送装置はＴＴＬ(Transmitter to Transmitter Link)送信装置である、請求項１に記載のアラームマスク回路。
【請求項５】
前記放送装置はＴＴＬ受信装置である、請求項１に記載のアラームマスク回路。
【請求項６】
前記第３の出力端子から出力される前記第１のアラーム信号と、前記第４の出力端子から出力される前記第２のアラーム信号は、前記放送装置から遠方に設けられたリモートコントローラに送られる、請求項１に記載のアラームマスク回路。
【発明の詳細な説明】
【技術分野】
【０００１】
本発明は、放送休止時に、アラーム信号をリモコン等の外部装置へ伝達しないようマスクするアラームマスク回路に関する。
【背景技術】
【０００２】
放送ネットワークでは、マイクロ波によるＴＴＬ（Transmitter to Transmitter Link）回線が送信所間での信号の伝送に用いられている。ＴＴＬ回線では主に、ＯＦＤＭ変調波をそのままマイクロ波に乗せるＩＦ伝送方式による伝送が行われている。
【０００３】
放送波中継では、夜間等に放送が休止されると、ＴＴＬ送受信装置への放送信号の入力が無くなり、入力の異常が検出される。入力異常が検出されると、ＴＴＬ送受信装置ではアラーム信号が生成され、遠隔地のリモートコントローラに送られる。
【０００４】
しかしながら実際には、放送の休止は入力の異常ではない。このため、放送休止時にアラームが送られてしまうと、実際は異常ではないのにリモートコントローラが入力異常を検出する恐れがある。入力異常の誤検出を防止するためには、放送休止のために入力信号が無い場合を正確に検出し、放送休止の場合にはリモートコントローラにアラームを伝達しないよう制御する必要がある。
【０００５】
放送休止を検出する技術として、例えば特許文献１に記載の放送波中継装置では、信号の入力電力の低下原因がフェージングやマルチパスによるものか、放送休止によるものかを判断するため、受信電力のモニタリングを定期的に行っている。
【先行技術文献】
【特許文献】
【０００６】
【特許文献１】特開２００８−７８８０６号公報（段落００２８、図２）
【発明の概要】
【発明が解決しようとする課題】
【０００７】
特許文献１に記載の放送波中継装置では、受信電力のモニタリングを定期的に行って、入力電力が予め記憶されている設定値より下回った状態が既定回数以上連続した場合に、放送休止と判断して出力を停止するよう制御している。しかしながら、定期的な受信電力のモニタリングを行うことで処理が複雑化し、中継装置の処理能力を浪費しかねない。
【０００８】
本発明は、前記のような問題に鑑みなされたもので、放送休止を検出して、放送休止時にはアラーム信号をマスクするアラームマスク回路を提供することを目的とする。
【課題を解決するための手段】
【０００９】
本発明の一実施形態によるアラームマスク回路は、第１系統の放送波信号のレベル異常を表す第１のアラーム信号と、第２系統の放送波信号のレベル異常を表す第２のアラーム信号とが入力すると、アラームマスク信号を出力する論理回路と、前記論理回路からアラームマスク信号が入力されたら、前記第１のアラーム信号をマスクする第１のマスク手段と、前記論理回路からアラームマスク信号が入力されたら、前記第２のアラーム信号をマスクする第２のマスク手段を具備する。
【発明の効果】
【００１０】
本発明の一実施形態によるアラームマスク回路によれば、第１及び第２のアラーム信号が論理回路に入力すると、論理回路はアラームマスク信号を出力する。論理回路からアラームマスク信号が出力されたら、アラーム信号がマスクされる。このため、放送休止時にはアラームをマスクすることができる。
【図面の簡単な説明】
【００１１】
【図１】本発明の一実施形態に係るアラームマスク回路の構成を示す図。
【図２】一方の系統にアラーム信号が入力した場合の、信号伝達の状態を示すタイミングチャート。
【図３】両系統にアラーム信号が入力した場合の、信号伝達の状態を示すタイミングチャート。
【図４】アラームマスク回路を、ＴＴＬ送信装置に適用した場合のシステム構成を示す図。
【図５】アラームマスク回路を、ＴＴＬ受信装置に適用した場合のシステム構成を示す図。
【発明を実施するための形態】
【００１２】
以下、図面を参照して本発明によるアラームマスク回路の実施の形態を説明する。
【００１３】
以下で説明されるアラームマスク回路は、例えばＴＴＬ回線での信号伝送を行うＴＴＬ送受信装置等の放送装置に用いられる。ＴＴＬ回線では、放送波を第１の系統及び第２の系統の２系統で伝送し、放送装置において一方の系統に障害が生じても、他方の系統では放送波の伝送が継続される。放送の休止時には、この第１系統及び第２系統の両系統で放送波の信号レベルがほぼ同じタイミングで低下する。このため以下に説明する実施形態では、信号レベルが両系統で低下した場合には、アラームをマスクしてリモートコントローラには伝達しない。リモートコントローラは、放送装置の動作を監視する装置であり、放送装置からは遠隔地の演奏所（スタジオ）に設けられていてもよい。
【００１４】
図１は、本発明の一実施形態に係るアラームマスク回路の構成を示す回路図である。アラームマスク回路１０は、図４及び図５を参照して後述するように、ＴＴＬ送信装置、又はＴＴＬ受信装置において用いられる。
【００１５】
アラームマスク回路１０は、入力端子Ｉｎ１〜Ｉｎ５、出力端子Ｏｕｔ１〜Ｏｕｔ４、論理回路１１、マスクユニット（ＭＡＳＫ）１２及び１３を備えている。
【００１６】
第１系統の放送波信号のレベル低下を表す第１系統のアラーム信号は、アラームマスク回路１０の前段に備えられた装置から入力端子Ｉｎ１に入力する。同様に、第２系統の放送波信号のレベル低下を表す第２系統のアラーム信号は、アラームマスク回路１０の前段に備えられた装置から入力端子Ｉｎ２に入力する。
【００１７】
入力端子Ｉｎ１に入力したアラーム信号は、出力端子Ｏｕｔ１及び論理回路１１に送られる。また、入力端子Ｉｎ２に入力したアラーム信号は、出力端子Ｏｕｔ２及び論理回路１１に送られる。
【００１８】
論理回路１１は、入力端子Ｉｎ１及び入力端子Ｉｎ２からの入力信号に応じて動作するＡＮＤ回路である。入力端子Ｉｎ１と入力端子Ｉｎ２の両方からアラーム信号が入力された場合に、論理回路１１は、アラームマスク信号をマスクユニット１２及び１３に出力する。
【００１９】
入力端子Ｉｎ３には、ＴＴＬ送信装置又はＴＴＬ受信装置からリモートコントローラへ向かう第１系統のアラーム信号が入力する。また入力端子Ｉｎ４には、ＴＴＬ送信装置又はＴＴＬ受信装置からリモートコントローラへ向かう第２系統のアラーム信号が入力する。図４及び図５を参照して後述するように、入力端子Ｉｎ３に入力するアラーム信号は、入力端子Ｉｎ１に入力するアラーム信号は同一の信号であってもよく、また入力端子Ｉｎ４に入力するアラーム信号は、入力端子Ｉｎ２に入力するアラーム信号と同一の信号であってもよい。
【００２０】
入力端子Ｉｎ３に入力したアラーム信号は、マスクユニット１２に送られる。また、入力端子Ｉｎ４に入力したアラーム信号は、マスクユニット１３に送られる。
【００２１】
マスクユニット１２は、入力端子Ｉｎ３と出力端子Ｏｕｔ３の間に設けられている。論理回路１１からアラームマスク信号の入力がない場合には、マスクユニット１２は、入力端子Ｉｎ３から入力した第１系統のアラーム信号を出力端子Ｏｕｔ３に送る。論理回路１１からアラームマスク信号の入力がある場合は、マスクユニット１２は、第１系統のアラーム信号をマスクして出力端子Ｏｕｔ３には送らない。
【００２２】
マスクユニット１３は、入力端子Ｉｎ４と出力端子Ｏｕｔ４の間に設けられている。論理回路１１からアラームマスク信号の入力がない場合には、マスクユニット１３は、入力端子Ｉｎ４から入力した第２系統のアラーム信号を出力端子Ｏｕｔ４に送る。論理回路１１からアラームマスク信号の入力がある場合は、マスクユニット１３は、第２系統のアラーム信号をマスクして出力端子Ｏｕｔ４には送らない。
【００２３】
入力端子Ｉｎ５には、アラームマスク回路１０の状態表示をリセットするためのリセット信号が入力する。
【００２４】
出力端子Ｏｕｔ１から出力される第１系統のアラーム信号は、アラームマスク回路１０の後段に備えられた装置へ出力される。同様に、出力端子Ｏｕｔ２から出力される第２系統のアラーム信号は、アラームマスク回路１０の後段に備えられた装置へ出力される。これによって、放送波のレベル低下を表すアラーム信号が後段装置へも伝達される。
【００２５】
出力端子Ｏｕｔ３からは、第１系統のアラーム信号がリモートコントローラへと出力される。同様に出力端子Ｏｕｔ４からは、第２系統のアラーム信号がリモートコントローラへと出力される。リモートコントローラでは、第１系統又は第２系統のアラーム信号を参照して、第１系統又は第２系統の放送波の信号レベルを監視することができる。信号レベルに異常が生じた場合、リモートコントローラの出力部に異常情報が出力され、スタジオにおいて放送波の信号レベルの異常を確認することができる。
【００２６】
論理回路１１からアラームマスク信号の入力がある場合には、マスクユニット１２が第１系統のアラーム信号をマスクするため、出力端子Ｏｕｔ３からリモートコントローラへはアラーム信号が出力されない。同様に、論理回路１１からアラームマスク信号の入力がある場合には、マスクユニット１３が第２系統のアラーム信号をマスクするため、出力端子Ｏｕｔ４からリモートコントローラへはアラーム信号が出力されない。論理回路１１からマスクユニット１２及び１３にアラームマスク信号が入力されるのは、入力端子Ｉｎ１に第１系統のアラーム信号が入力され、同時に入力端子Ｉｎ２に第２系統のアラーム信号が入力される場合である。すなわち、第１系統の放送波信号のレベル低下と第２系統の放送波信号のレベル低下とが共に生じた場合に、論理回路１１からマスクユニット１２及び１３へアラームマスク信号が出力される。このため、第１系統の放送波のレベル低下と第２系統の放送波のレベル低下とが共に生じた場合には、放送波の信号レベルの異常は放送の休止によって生じたとされ、第１及び第２両系統のアラーム信号はリモートコントローラへは伝達されない。
【００２７】
ＤＣ−ＤＣコンバータ１４は、直流電圧を別の直流電圧に変換するスイッチング方式のコンバータである。コンバータ１４は、スイッチＳ１及びスイッチＳ２を介して供給される所定電圧（例えば４８ボルト）を変換して、アラームマスク回路１０の第１系統及び第２系統を動作させる電圧を提供する。
【００２８】
図２は、一方の系統にアラーム信号が入力した場合の、信号伝達の状態を示すタイミングチャートである。
【００２９】
図２では、入力端子Ｉｎ１から第１系統の放送波信号のレベル低下を表すアラーム信号が入力されており、入力端子Ｉｎ３からも第１系統のアラーム信号が入力されている。一方、第２系統の入力端子Ｉｎ２及びＩｎ４にはアラーム信号は入力されていない。すなわち、第１系統の放送波には信号レベルの異常が生じているが、第２系統の放送波には異常は生じていない。すなわち図２の例では、第１系統の放送波の信号レベルの異常は、放送休止によってではなく、前段の装置の異常等によって生じているものとみなすことができる。この場合、アラーム信号はマスクユニット１２によってマスクされずに、出力端子Ｏｕｔ３からリモートコントローラへ出力される。
【００３０】
図２では、第１系統のアラーム信号が検出された後、所定の時間（例えば５秒間）経っても第２系統のアラーム信号が検出されなかったら、当該第１系統のアラーム信号が出力端子Ｏｕｔ３から出力されている。第１系統と第２系統で放送波の伝送に相対的な遅延が生じると、放送が休止しても、両系統のアラーム信号が検出されるまでに時間的な誤差が発生する。一方の系統のアラーム信号が論理回路１１に入力してから所定の時間誤差以内に、他方の系統のアラーム信号が論理回路１１に入力する場合には、両系統のアラーム信号は放送休止のために生じているとしてアラームマスクが行われる。逆に、一方の系統のアラーム信号が論理回路１１に入力してから該時間誤差以内に、他方の系統のアラーム信号が論理回路１１に入力しない場合には、アラームマスクは行わない。
【００３１】
図３は、両系統にアラーム信号が入力した場合の、信号伝達の状態を示すタイミングチャートである。
【００３２】
図３では、入力端子Ｉｎ１から第１系統の放送波のレベル低下を表すアラーム信号が入力されており、その後、所定時間（５秒）以内に入力端子Ｉｎ２からも第２系統のアラーム信号が入力されている。すなわち、第１系統の放送波の信号レベルの異常が生じた後、所定時間内に第２系統の放送波にも異常が生じている。すなわち図３の例では、放送の休止によって、両系統で放送波の信号レベルに異常が生じているものとされる。この場合、第１系統のアラーム信号はマスクユニット１２よってマスクされ、出力端子Ｏｕｔ３からリモートコントローラへは出力されない。同様に第２系統のアラーム信号もマスクユニット１３によってマスクされ、出力端子Ｏｕｔ４からは出力されない。
【００３３】
また図３では、入力端子Ｉｎ１へ第１系統のアラーム信号が入力されなくなり、入力端子Ｉｎ２へも第２系統のアラーム信号が入力されなくなってから、所定時間（ここでは５秒）後に、アラームマスクが解除されている。放送休止が解除されて放送波の伝達が行われても、第１系統と第２系統で放送波の伝送に遅延のために、アラームマスク回路１０に入力されていた第１系統のアラーム信号と第２系統のアラーム信号が無くなるタイミングに時間的な誤差が生じる可能性がある。例えば第１系統のアラーム信号が入力されなくなって直ぐにアラームマスク状態が解除されてしまうと、第２系統の放送波の検出が遅延した場合に、第２系統のアラーム信号がリモートコントローラに伝達されかねない。このため、アラームマスク状態を解除する前に、ここでは５秒の余裕を持たせている。
【００３４】
図４は、上述のアラームマスク回路１０を、ＴＴＬ送信装置３０に適用した場合のシステム構成を示す。
【００３５】
ＴＴＬ送信装置３０は、前段装置２０から送られた信号をアンテナ３４からマイクロ波で送信する装置である。前段装置２０は、例えば放送波受信装置であり、送信所から送られたＩＦ信号をＴＴＬ送信装置３０に送る。
【００３６】
ＴＴＬ送信装置３０は、第１系統の送信部（ＴＸ）３１、第２系統の送信部（ＴＸ）３２、切替器３３、アンテナ３４を有する。前段装置２０から送られた信号はＴＸ３１と３２によってＲＦ(Radio Frequency)信号に変換される。このＲＦ信号は切替器３３によって一方が選択され、アンテナ３４から出射される。
【００３７】
例えば放送波受信装置等の前段装置２０が第１系統の放送波のレベル低下を検出すると、前段装置２０から入力端子Ｉｎ１には、第１系統のアラーム信号が入力する。同様に、前段装置２０が第２系統の放送波のレベル低下を検出すると、前段装置２０から入力端子Ｉｎ２には、第２系統のアラーム信号が入力する。
【００３８】
入力端子Ｉｎ１に入力したアラーム信号は、出力端子Ｏｕｔ１及び論理回路１１に送られる。また、入力端子Ｉｎ２に入力したアラーム信号は、出力端子Ｏｕｔ２及び論理回路１１に送られる。出力端子Ｏｕｔ１から出力された第１系統のアラーム信号は、ＴＴＬ送信装置３０へ入力する。また出力端子Ｏｕｔ２から出力された第２系統のアラーム信号も、ＴＴＬ送信装置３０に入力する。
【００３９】
入力端子Ｉｎ１と入力端子Ｉｎ２の両方からアラーム信号が入力されると、論理回路１１からマスクユニット１２及び１３へ、アラームマスク信号が出力される。
【００４０】
入力端子Ｉｎ３には、ＴＴＬ送信装置３０から第１系統のアラーム信号が入力する。本実施形態では、入力端子Ｉｎ１から入力し、出力端子Ｏｕｔ１から出力された第１系統のアラーム信号が、ＴＴＬ送信装置３０を介して入力端子Ｉｎ３に入力するものとする。同様に、入力端子Ｉｎ４には、ＴＴＬ送信装置３０から第２系統のアラーム信号が入力する。本実施形態では、入力端子Ｉｎ２から入力し、出力端子Ｏｕｔ２から出力された第２系統のアラーム信号がＴＴＬ送信装置３０を介して入力端子Ｉｎ４に入力するものとする。
【００４１】
入力端子Ｉｎ３に入力したアラーム信号は、マスクユニット１２に送られる。また、入力端子Ｉｎ４に入力したアラーム信号は、マスクユニット１３に送られる。
【００４２】
マスクユニット１２は、論理回路１１からアラームマスク信号の入力がない場合には、入力端子Ｉｎ３から入力した第１系統のアラーム信号を出力端子Ｏｕｔ３に送る。論理回路１１からアラームマスク信号の入力がある場合は、マスクユニット１２は、第１系統のアラーム信号をマスクして出力端子Ｏｕｔ３には送らない。
【００４３】
マスクユニット１３は、論理回路１１からアラームマスク信号の入力がない場合には、入力端子Ｉｎ４から入力した第２系統のアラーム信号を出力端子Ｏｕｔ４に送る。論理回路１１からアラームマスク信号の入力がある場合は、マスクユニット１３は、第２系統のアラーム信号をマスクして出力端子Ｏｕｔ４には送らない。
【００４４】
出力端子Ｏｕｔ３からは、第１系統のアラーム信号がリモートコントローラ４０へと出力される。同様に出力端子Ｏｕｔ４からは、第２系統のアラーム信号がリモートコントローラ４０へと出力される。リモートコントローラ４０では、第１系統又は第２系統のアラーム信号を参照して、第１系統又は第２系統の放送波の信号レベルを監視する。信号レベルに異常が生じた場合、リモートコントローラ４０の出力部に異常情報が出力され、スタジオにおいて放送波の信号レベルの異常を確認することができる。
【００４５】
論理回路１１からアラームマスク信号の入力がある場合には、マスクユニット１２が第１系統のアラーム信号をマスクするため、出力端子Ｏｕｔ３からリモートコントローラ４０へはアラーム信号が出力されない。同様に、論理回路１１からアラームマスク信号の入力がある場合には、マスクユニット１３が第２系統のアラーム信号をマスクするため、出力端子Ｏｕｔ４からリモートコントローラ４０へはアラーム信号が出力されない。
【００４６】
すなわち、前段装置２０が第１系統の放送波のレベル低下と第２系統の放送波のレベル低下による第１系統及び第２系統のアラーム信号を検出してアラームマスク回路１０に入力した場合に、放送波の信号レベルの異常は放送の休止によって生じたとされ、第１及び第２両系統のアラーム信号はリモートコントローラ４０へは伝達されない。
【００４７】
図５は、上述のアラームマスク回路１０を、ＴＴＬ受信装置６０に適用した場合のシステム構成を示す。
【００４８】
ＴＴＬ受信装置６０は、アンテナ６１によって受信した放送波を後段装置５０へ伝送する装置である。後段装置５０は、例えば中継局送信機であり、ＴＴＬ受信装置６０が受信したＩＦ信号又はＴＳ信号を放送波で送信する。
【００４９】
ＴＴＬ受信装置６０は、アンテナ６１、分配器６２、第１系統の受信部（ＲＸ）６３、及び第２系統の受信部（ＲＸ）６４を有する。アンテナ６１で受信されたＲＦ信号は、分配器６２によってＲＸ６３とＲＸ６４に分配される。ＲＸ６３及びＲＸ６４は、受信した信号をＩＦ信号又はＴＳ信号に変換して後段装置５０に出力する。
【００５０】
ＲＸ６３が第１系統の放送波の信号レベル低下を検出すると、入力端子Ｉｎ１には、第１系統のアラーム信号が入力する。同様に、ＲＸ６４が第２系統の放送波の信号レベル低下を検出すると、入力端子Ｉｎ２には、第２系統のアラーム信号が入力する。
【００５１】
入力端子Ｉｎ１に入力したアラーム信号は、出力端子Ｏｕｔ１及び論理回路１１に送られる。また、入力端子Ｉｎ２に入力したアラーム信号は、出力端子Ｏｕｔ２及び論理回路１１に送られる。第１系統のアラーム信号は、出力端子Ｏｕｔ１から出力され、後段装置５０へ入力する。また第２系統のアラーム信号は、出力端子Ｏｕｔ２から出力され、後段装置５０に入力する。これによって、放送波の信号レベルの低下を後段装置５０へ伝達することができる。
【００５２】
入力端子Ｉｎ１と入力端子Ｉｎ２の両方からアラーム信号が入力されると、論理回路１１からマスクユニット１２及び１３へ、アラームマスク信号が出力される。
【００５３】
入力端子Ｉｎ３にも、ＲＸ６３から第１系統のアラーム信号が入力する。同様に、入力端子Ｉｎ４には、ＲＸ６４から第２系統のアラーム信号が入力する。入力端子Ｉｎ３に入力したアラーム信号は、マスクユニット１２に送られる。また、入力端子Ｉｎ４に入力したアラーム信号は、マスクユニット１３に送られる。
【００５４】
マスクユニット１２は、論理回路１１からアラームマスク信号の入力がない場合には、入力端子Ｉｎ３から入力した第１系統のアラーム信号を出力端子Ｏｕｔ３に送る。論理回路１１からアラームマスク信号の入力がある場合は、マスクユニット１２は、第１系統のアラーム信号をマスクして出力端子Ｏｕｔ３には送らない。
【００５５】
マスクユニット１３は、論理回路１１からアラームマスク信号の入力がない場合には、入力端子Ｉｎ４から入力した第２系統のアラーム信号を出力端子Ｏｕｔ４に送る。論理回路１１からアラームマスク信号の入力がある場合は、マスクユニット１３は、第２系統のアラーム信号をマスクして出力端子Ｏｕｔ４には送らない。
【００５６】
論理回路１１からマスクユニット１２へアラームマスク信号の入力が無い場合には、第１系統のアラーム信号が、出力端子Ｏｕｔ３からリモートコントローラ４０へと出力される。同様に、論理回路１１からマスクユニット１３へアラームマスク信号の入力が無い場合には、第２系統のアラーム信号が、出力端子Ｏｕｔ４からリモートコントローラ４０へと出力される。リモートコントローラ４０では、第１系統又は第２系統のアラーム信号を参照して、第１系統又は第２系統の放送波の信号レベルを監視する。
【００５７】
論理回路１１からアラームマスク信号の入力がある場合には、マスクユニット１２が第１系統のアラーム信号をマスクするため、出力端子Ｏｕｔ３からリモートコントローラ４０へはアラーム信号が出力されない。同様に、論理回路１１からアラームマスク信号の入力がある場合には、マスクユニット１３が第２系統のアラーム信号をマスクするため、出力端子Ｏｕｔ４からリモートコントローラ４０へはアラーム信号が出力されない。
【００５８】
すなわち、ＲＸ６３が第１系統の放送波のレベル低下を検出してアラーム信号をアラームマスク回路１０に入力し、ＲＸ６４が第２系統の放送波のレベル低下を検出してアラーム信号をアラームマスク回路１０に入力した場合に、放送波の信号レベルの異常は放送の休止によって生じたとされ、第１及び第２両系統のアラーム信号はリモートコントローラ４０へは伝達されない。
【００５９】
このように、本実施形態によるアラームマスク回路によれば、第１及び第２の両系統の入力信号レベルに異常が場合には、アラーム信号がマスクされて、リモートコントローラには伝達されない。このため、放送休止時にアラーム信号がリモートコントローラに伝達されることが防止される。
【００６０】
また、一方の系統のアラーム信号が入力されてから、所定の時間以内に他方の系統のアラーム信号が入力しない場合には、アラームマスクを行わない。このため、両系統間の信号の伝送に相対的な遅延が生じていても、放送休止の場合を正確に検出できる。
【００６１】
更に、アラームマスクが行われている状態で、一方の系統のアラーム信号が入力されなくなってから所定時間の間は、アラームマスクを継続する。このため、放送休止が解除されて放送波が伝達される際に、両系統間の放送波の伝送に相対的な遅延が生じていても、遅延している系統のアラームが後段に伝達されることを防止できる。
【００６２】
なお、上述の実施形態では、アラームマスク回路が放送波の送受信装置に用いられる場合について説明した。しかしながら、上述のアラームマスク回路は、放送システムに限らず、アラームを後段に伝達しないために種々の装置に用いられ得る。
【００６３】
アラームマスク回路１０は、図４及び図５に示すように、ＴＴＬ送信装置３０及びＴＴＬ受信装置６０に接続されていてもよいし、ＴＴＬ送信装置３０及びＴＴＬ受信装置６０内に備えられていてもよい。
【００６４】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、１つの実施形態に示される全構成要件から幾つかの構成要件が削除されたり、幾つかの実施形態に示される構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００６５】
１０…アラームマスク回路、１１…論理回路、１２、１３…マスクユニット、１４…ＤＣ−ＤＣコンバータ、Ｉｎ１〜Ｉｎ５…入力端子、Ｏｕｔ１〜Ｏｕｔ４…出力端子。
【図１】
2011023954.tif 000003
【図２】
2011023954.tif 000004
【図３】
2011023954.tif 000005
【図４】
2011023954.tif 000006
【図５】
2011023954.tif 000007